(57)【要約】【課題】  バックライト照明を備えたＬＣＤ表示装置を有する撮像装置において、バックライト照明の輝度変化に係わらず、安定した色再現性を保った画像を表示することが可能な撮像装置を提供する。【解決手段】  表示手段の色バランス補正を行う色バランス補正手段の作動を、バックライト照明部で使用されるバックライト駆動電流の制御を行う駆動電流制御手段で設定された駆動電流制御値に基づいて、制御することにより、バックライト照明の輝度変化に係わらず、安定した色再現性を保った画像を表示することができる撮像装置の提供を可能にした。【選択図】        図２
2006229548.tif 000002
【特許請求の範囲】
【請求項１】
画像信号を表示する画像表示部と、前記画像表示部を照明するバックライト照明部と、を有する表示手段と、
前記バックライト照明部で使用されるバックライト駆動電流を生成するバックライト駆動電流生成手段と、
前記バックライト駆動電流生成手段の作動を制御するバックライト駆動電流制御手段と
前記画像表示部で使用される画像信号の色バランスを補正する色バランス補正手段と、
前記色バランス補正手段の作動を制御する色バランス制御手段と、を有し、
前記色バランス制御手段は、前記バックライト駆動電流制御手段で設定されたバックライト駆動電流制御値に基づいて、前記色バランス補正手段の作動を制御することを特徴とする撮像装置。
【請求項２】
前記バックライト駆動電流制御手段で設定される前記バックライト駆動電流制御値を選択するバックライト駆動電流選択手段を有し、
前記バックライト駆動電流制御手段は、前記バックライト駆動電流選択手段で選択された、前記バックライト駆動電流制御値に基づいて、前記バックライト駆動電流生成手段で生成される前記バックライト駆動電流が変動する様に前記バックライト駆動電流生成手段の作動を制御することを特徴とする請求項１に記載の撮像装置。
【請求項３】
前記色バランス制御手段は、予め設定された、前記バックライト駆動電流制御値に対応した色バランス制御値を有し、
前記色バランス制御手段は、前記バックライト駆動電流選択手段で選択された、前記バックライト駆動電流制御値に対応した前記色バランス制御値に基づいて、前記色バランス補正手段で使用される色バランス補正ゲインが変動する様に前記色バランス補正手段の作動を制御することを特徴とする請求項１または２に記載の撮像装置。
【請求項４】
画像信号を表示する画像表示部と、前記画像表示部を照明するバックライト照明部と、を有する表示手段と、
前記バックライト照明部の輝度を設定する輝度設定手段と、
前記画像表示部で使用される画像信号の色バランスを制御する制御手段と、を有し、
前記制御手段は、前記輝度設定手段により設定された輝度に応じて変動する前記バックライト照明部の色温度に対応して、前記画像信号の色バランスを補正することを特徴とする請求項１乃至３のいずれか１項に記載の撮像装置。
【発明の詳細な説明】
【技術分野】
【０００１】
本発明は、表示装置の輝度変化に係わらず、安定した色再現性を保った画像を表示することが可能な撮像装置に関する。
【背景技術】
【０００２】
近年、電子カメラ、デジタルビデオカメラなどの撮像装置では、高性能化が進展するに伴い、撮影待機画像や再生画像の視認に使用されるＬＣＤ（Ｌｉｑｕｉｄ  Ｃｒｙｓｔａｌ  Ｄｉｓｐｌａｙ）に代表される表示装置もバックライト照明付きの大型のものが採用され、高解像で高精細な画像表示が行える様になってきた。特に、最近では光学ファインダと同じように画像の視認やフォーカス調整などの操作を表示装置で行いたいというニーズがあるので、ＶＧＡやＳＶＧＡ（Ｓｕｐｅｒ  Ｖｉｄｅｏ  Ｇｒａｐｈｉｃｓ  Ａｒｒａｙ：８００×６００画素）などの高画素グラフィックサブシステムをディスプレイ用デバイスに使用するものと見られている。
【０００３】
ＬＣＤ表示装置は、ＬＣＤパネルと、ＬＣＤパネルの背面から照明光を与えるバックライト光源とから構成され、ＬＣＤパネルは、画素毎に透過濃度が可変できる微小な液晶セルをマイクロカラーフィルタとともにマトリクス状に多数配列して構成され、画像信号に応じて液晶セルの透過濃度を制御し、その背面側からバックライトを照射することによってカラー画像の表示を行うことができる様にしたものである。
【０００４】
ところで、この種のＬＣＤ表示装置は、従来のＣＲＴ（Ｃａｔｈｏｄｅ  Ｒａｙ  Ｔｕｂｅ）表示装置に比べて通常発光量が少なく、輝度が低いことから、周囲の使用環境の明るさにより表示画像の見易さが大きく左右されるものである。すなわち、屋内の様に比較的暗い環境下で使用した場合には、充分に視認することが可能であるが、屋外の様に周囲が明るい環境下で使用した場合には、コントラストが低下して表示画像は視認し難くなる。従って、周囲の明るさに拠らず、常に視認し易い表示画像を得る為に、バックライト照明の輝度を周囲の明るさに応じて調整できる様にした撮像装置が種々検討されてきた。
【０００５】
さらに、この種の大型ＬＣＤ表示装置はバックライト照明の消費電力が大きいことから、電池の消耗が懸念される。従って、電池の容量に余裕が無い場合には、バックライト照明の輝度を低く抑えておきたいこともある。この為、バックライト照明の輝度を電池の容量に応じて調整できる様にした撮像装置が種々検討されてきた。
【０００６】
この様に、撮像装置では、使用環境や、省エネ等の目的に応じてＬＣＤ表示装置のバックライト照明の輝度を調整できる様にすることが必要になる。そして、ＬＣＤ表示装置のバックライト照明の輝度調整を考慮した撮像装置が種々検討されてきた。
【０００７】
具体的には、周囲の明るさに応じて、バックライトに印加されるパルス電圧のデュティー比、または波高値を、手動、または自動にて変化させてバックライトの明るさを調整できる様にした電子ビューファインダーの技術（例えば、特許文献１参照）がある。またバックライト光源の温度を検知して、検知した温度に  応じてバックライトの輝度を調節することにより、バックライトの輝度を安定に保つ様にして、バックライトの輝度が温度により変化するのを防止するデジタルカメラの技術（例えば、特許文献２）がある。この様に、目的に応じてＬＣＤ表示装置のバックライト照明の輝度を調整できる様にした撮像装置の技術が種々検討されてきた。
【特許文献１】特開平５−２８４３９３号公報（段落０００６等参照）
【特許文献２】特開２００３−３１９２９１号公報（段落０００８等参照）
【発明の開示】
【発明が解決しようとする課題】
【０００８】
ところで、バックライト照明に用いられる光源としては、通常ＬＥＤ（Ｌｉｇｈｔ  Ｅｍｉｔｔｉｎｇ  Ｄｉｏｄｅ）が用いられ、バックライト照明の輝度調整は、バックライト照明用ＬＥＤに流す電流量を変化させて調整する方法が一般的である。しかしながら、ＬＥＤに流す電流量を変化させると、ＬＥＤ光源の色温度は変動するものである。従って、ＬＣＤパネルを同じ画像信号で駆動してもバックライト照明の輝度調整を行うことによりＬＥＤ照明光源の色温度が変動して、ＬＣＤ表示装置で表示される表示画像の色バランス、すなわち色味が変わり、実被写体色とは異なる色再現の画像を視認することになる。この様にバックライト照明光源の輝度をＬＥＤに流す電流量を変化させて調整した場合には、表示画像の色味が変化して、安定した色再現性を保つことが難しくなる。そしてバックライト照明付きのＬＣＤ表示装置を有する撮像装置においてはその問題は深刻であり、バックライト照明の輝度変化に係わらず、安定した色再現性を保った画像を表示することが可能な撮像装置が望まれていた。
【０００９】
前述の特許文献１、または特許文献２においては、使用環境や、省エネ等の目的に応じてＬＣＤ表示装置のバックライト照明の輝度を調整できる様にした技術が開示されているが、前述のバックライト照明の輝度を調整した場合に生じる表示画像の色バランスの変動を抑制して、バックライト照明の輝度変化に係わらず、安定した色再現性を保った画像を表示することが可能な撮像装置を示唆するものではなかった。
本発明は、上記課題を鑑みてなされたもので、バックライト照明を備えたＬＣＤ表示装置を有する撮像装置において、装置の複雑化や高価格化を招くことなく、バックライト照明の輝度変化に係わらず、安定した色再現性を保った画像を表示することが可能な撮像装置を提供することを目的とする。
【課題を解決するための手段】
【００１０】
上記目的は、下記の請求項１〜４のいずれか１項に記載の発明によって達成される。
【００１１】
（請求項１）
画像信号を表示する画像表示部と、前記画像表示部を照明するバックライト照明部と、を有する表示手段と、
前記バックライト照明部で使用されるバックライト駆動電流を生成するバックライト駆動電流生成手段と、
前記バックライト駆動電流生成手段の作動を制御するバックライト駆動電流制御手段と
前記画像表示部で使用される画像信号の色バランスを補正する色バランス補正手段と、
前記色バランス補正手段の作動を制御する色バランス制御手段と、を有し、
前記色バランス制御手段は、前記バックライト駆動電流制御手段で設定されたバックライト駆動電流制御値に基づいて、前記色バランス補正手段の作動を制御することを特徴とする撮像装置。
【００１２】
（請求項２）
前記バックライト駆動電流制御手段で設定される前記バックライト駆動電流制御値を選択するバックライト駆動電流選択手段を有し、
前記バックライト駆動電流制御手段は、前記バックライト駆動電流選択手段で選択された、前記バックライト駆動電流制御値に基づいて、前記バックライト駆動電流生成手段で生成される前記バックライト駆動電流が変動する様に前記バックライト駆動電流生成手段の作動を制御することを特徴とする請求項１に記載の撮像装置。
【００１３】
（請求項３）
前記色バランス制御手段は、予め設定された、前記バックライト駆動電流制御値に対応した色バランス制御値を有し、
前記色バランス制御手段は、前記バックライト駆動電流選択手段で選択された、前記バックライト駆動電流制御値に対応した前記色バランス制御値に基づいて、前記色バランス補正手段で使用される色バランス補正ゲインが変動する様に前記色バランス補正手段の作動を制御することを特徴とする請求項１または２に記載の撮像装置。
【００１４】
（請求項４）
画像信号を表示する画像表示部と、前記画像表示部を照明するバックライト照明部と、を有する表示手段と、
前記バックライト照明部の輝度を設定する輝度設定手段と、
前記画像表示部で使用される画像信号の色バランスを制御する制御手段と、を有し、
前記制御手段は、前記輝度設定手段により設定された輝度に応じて変動する前記バックライト照明部の色温度に対応して、前記画像信号の色バランスを補正することを特徴とする請求項１乃至３のいずれか１項に記載の撮像装置。
【発明の効果】
【００１５】
請求項１や請求項３乃至請求項４に記載の発明によれば、色バランス制御手段は、予め設定された、バックライト駆動電流制御値に対応した色バランス制御値を有し、色バランス制御手段は、バックライト駆動電流選択手段で選択された、バックライト駆動電流制御値に対応した色バランス制御値に基づいて、色バランス補正手段で使用される色バランス補正ゲインが変動する様に前記色バランス補正手段の作動を制御することができる様になる。
【００１６】
例えば、バックライト照明の輝度調整をバックライト照明用光源に流す電流量を変化させて行った場合には、照明光源の色温度が変動することによりＬＣＤ表示装置で表示される表示画像の色バランス、色味が変わり不自然な画像となるが、請求項１や請求項３乃至請求項４に記載の発明によれば、照明光源の色温度と相関の高い照明光源の駆動電流に基づいて、画像表示部で使用される画像信号の色バランスを補正することができる様になるので、バックライト照明の輝度変化に係わらず、安定した色再現性を保った画像を表示することが可能な撮像装置の提供を可能にした。
【００１７】
請求項２に記載の発明によれば、バックライト駆動電流制御手段は、バックライト駆動電流選択手段で選択された、バックライト駆動電流制御値に基づいて、バックライト駆動電流生成手段で生成されるバックライト駆動電流が変動する様にバックライト駆動電流生成手段の作動を制御することができる様になる。すなわち、バックライト駆動電流を調整して、バックライト照明の輝度を変化させることにより、ＬＣＤ表示装置の明るさを、使用環境や、省エネ等の目的に応じて最適な明るさに調整することができる様になる。
【発明を実施するための最良の形態】
【００１８】
本発明に係る撮像装置の具体的な実施形態としては、デジタルカメラが代表的であるが、この他にカメラ付きの携帯電話機や、デジタルビデオカメラ等も含まれる。
【００１９】
図１を用いて、本発明に係る撮像装置の代表的な実施形態の１つであるデジタルカメラの外観を説明する。図１（ａ）は、本発明に係るデジタルカメラ１の側面図、図１（ｂ）は背面図である。図１（ａ）に示す様に、デジタルカメラ１は、カメラ本体部２、及びレンズユニット３から構成される。
【００２０】
レンズユニット３は、図示しないマクロズームからなる撮影レンズ、絞り、及びシャッタ等から構成される。
【００２１】
カメラ本体部２は、ＬＣＤ（Ｌｉｑｕｉｄ  Ｃｒｙｓｔａｌ  Ｄｉｓｐｌａｙ；液晶表示素子）からなるＬＣＤモニタ２１１、ＥＶＦ（Ｅｌｅｃｔｒｏｎｉｃ  Ｖｉｅｗ  Ｆｉｎｄｅｒ；電子ビューファインダ）２１０、及びデジタルカメラ１を図示しないパーソナルコンピュータに接続する外部接続端子を有しており、後述するＣＣＤエリアセンサ２５１で取り込まれた画像信号に所定の信号処理を施し、ＬＣＤモニタ２１１やＥＶＦ２１０への画像表示や、後述するメモリカード２６６などの記録媒体への画像記録、あるいはパーソナルコンピュータへの画像の転送といった処理を行う。
【００２２】
図１（ａ）に示す様に、カメラ本体部２の上面には、必要時にホップアップされるフラッシュ２１２が設けられている。また、図１（ｂ）に示す様に、カメラ本体部２の背面の略中央部には撮影画像の表示や記録画像の再生表示等を行うＬＣＤモニタ２１１とＥＶＦ２１０が設けられている。ＬＣＤモニタ２１１は、ＣＣＤエリアセンサ２５１で取り込まれた画像信号を表示し、後述する画像表示部２７２と画像表示部を照明するバックライト照明部２７３から構成される。
【００２３】
カメラ本体部２の上面には、図１（ｂ）に示す様に、シャッタボタン２０１と、シャッタボタン２０１の近くには、デジタルカメラ１の動作モードを設定するモード設定ダイアル２０３が設けられている。モード設定ダイアル２０３で設定されるデジタルカメラ１の動作モードには、「静止画撮影モード」、「動画撮影モード」、「再生モード」等がある。
【００２４】
例えば静止画撮影モードは、撮影待機状態から露光制御のプロセスを経て撮影にいたる写真撮影を行うモードであり、再生モードは、メモリカード２６６に記録された撮影画像をＬＣＤモニタ２１１やＥＶＦ２１０に再生表示するモードである。
【００２５】
また、カメラ本体部２の背面上部には、図１（ｂ）に示す様に、電源スイッチ２０２と、電源スイッチ２０２の近くには、電子ズームのズーム倍率を設定する為の電子ズームボタン２０９が設けられている。
【００２６】
また、カメラ本体部２の背面下部には、図１（ｂ）に示す様に、ＬＣＤモニタ２１１にメニューを表示する為のメニューボタン２０７と、メニューボタン２０７の近くには、ＬＣＤモニタ２１１に画像を表示する為のクイックビューボタン２０８が設けられている。
【００２７】
さらに、カメラ本体部２の背面の略中央部には、各種設定を行う為の選択／決定ボタン２０６が設けられている。選択／決定ボタン２０６は、各種設定の選択を行う為のジョグダイアルキー２０４と、ジョグダイアルキー２０４で選択された設定を確定する為の決定ボタン２０５から構成される。
【００２８】
また、選択／決定ボタン２０６は、後述するカメラ制御ＣＰＵ２６７で設定する、バックライト駆動電流制御値を選択するものである。具体的には、例えばＬＣＤモニタ２１１で表示されるメニュー画面上で、明るさ設定モードに入り、ジョグダイアルキー２０４を操作して、明るさを示す指標等をアップダウンすることにより、所望の明るさレベルを選択する。そして決定ボタン２０５を操作してジョグダイアルキー２０４で選択された明るさレベルを確定する。そしてカメラ制御ＣＰＵ２６７は選択／決定ボタン２０６で選択された明るさレベルに基づいて、バックライト駆動電流制御値を設定して、後述する所定の処理を経て、バックライト照明部２７３の輝度調整を行うものである。すなわち、選択／決定ボタン２０６は、本発明に係る撮像装置におけるバックライト駆動電流選択手段として機能するものである。
【００２９】
次に、デジタルカメラ１の制御系について図２を用いて説明する。図２は、本発明に係わるデジタルカメラ１の制御系のブロック図である。なお、図２では、図１に示した部材と同じ部材には同一の番号を付与した。
【００３０】
ＣＣＤエリアセンサ２５１（以下、ＣＣＤ２５１と略称する。）は、Ｒ（赤）光、Ｇ（緑）光、Ｂ（青）光の各色透過フィルタをピクセル単位（画素単位）で市松模様状に配置させたカラーエリア撮像センサで、レンズユニット３により結像された被写体光像を、Ｒ（赤）光、Ｇ（緑）光、Ｂ（青）光の各色成分の画像信号（各画素単位で受光された画素信号の信号列からなる信号）に光電変換するものである。
【００３１】
タイミングジェネレータ２５６は、後述する基準クロック発生部２６３から送信される基準クロックに基づいてＣＣＤ２５１の駆動制御信号を生成するものである。タイミングジェネレータ２５６で生成される駆動制御信号には、例えば、ＣＣＤ２５１における露出開始、及び終了タイミングを制御する積分開始／終了のタイミング信号、各画素の受光信号の読出制御信号（水平同期信号、垂直同期信号、転送信号等）等のクロック信号が挙げられ、これらのクロック信号がＣＣＤ２５１に供給されるとＣＣＤ２５１では各クロック信号に対応した駆動制御が行われる。
【００３２】
信号処理回路２５２は、ＣＤＳ回路２５３、ＡＧＣ回路２５４より構成され、これらの構成部を介して画像信号に所定の処理が行われる。以下、信号処理回路２５２で行われる画像信号への所定の処理について説明する。
【００３３】
ＣＤＳ（相関二重サンプリング）回路２５３は、ＣＣＤ２５１から読み出された画像信号より読出し時に発生するノイズの低減や、ＯＢクランプ動作による暗ノイズの補正を行うものである。
【００３４】
ＡＧＣ（自動利得制御）回路２５４は、ＣＤＳ回路２５３で処理された画像信号のゲイン調整を行うものである。
【００３５】
Ａ／Ｄ変換器２５５は、ＡＧＣ回路２５４から入力された画像信号を構成する各画素信号をデジタル信号に変換するものである。Ａ／Ｄ変換器２５５は、基準クロック発生部２６３から入力されるＡ／Ｄ変換用クロックに基づき、アナログ信号の各画素信号を例えば１４ビットのデジタル信号に変換する。
【００３６】
この様に、ＣＣＤ２５１で読み出された画像信号は、信号処理回路２５２、及びＡ／Ｄ変換器２５５で所定の処理が施されて、デジタル画像信号に変換される。デジタル化された画像信号は、画像処理ＣＰＵ２６１に取り込まれて所定の処理が行われる。
【００３７】
画像処理ＣＰＵ２６１は、マイクロコンピュータからなり、前述したカメラ本体部２、及びレンズユニット３を構成する各部材の作動を制御することにより、デジタルカメラ１の撮影動作を統括的に制御するものである。以下、画像処理ＣＰＵ２６１で行われるデジタル画像信号への処理について説明する。
【００３８】
最初に、画像処理ＣＰＵ２６１に取り込まれた画像信号は、ＣＣＤ２５１から出力される画像信号の読出しに同期して画像メモリ２６４に書き込まれる。すなわち、画像処理ＣＰＵ２６１で行われる処理に使用されるデジタル画像信号は、画像メモリ２６４にいったん記録したものを画像メモリ２６４から取り出し、各ブロックにおける処理に使用される。
【００３９】
画像処理ＣＰＵ２６１は、図２に示す様に、例えば画素補間部、解像度変換部、ホワイトバランス制御部、ガンマ補正部、マトリックス演算部、画像圧縮部等からなる画像処理部２６２、及び基準クロック発生部２６３から構成され、画像処理部２６２は画像メモリ２６４より取り出したデジタル画像信号に周知の画像信号処理を施すものである。そして、これらの部位で所定の処理を施されたデジタル画像信号は、再度、画像メモリ２６４に格納される。
【００４０】
基準クロック発生部２６３は、デジタルカメラ１の駆動制御に使用される基準クロックを生成し、これを各回路に供給する回路である。本発明における基準クロックの具体例としては、タイミングジェネレータ２５６に使用される基準クロックや、Ａ／Ｄ変換器２５５に使用されるＡ／Ｄ変換用クロックなどが挙げられ、基準クロック発生部２６３でこれらのクロックを生成する。
【００４１】
次に、ＬＣＤモニタ２１１は、ＣＣＤ２５１で取り込まれた画像信号を表示する、画像表示部２７２、及び画像表示部２７２を照明するバックライト照明部２７３から構成される。
【００４２】
画像表示部２７２はＬＣＤからなり、画像表示部２７２で表示される画像の色バランスは、後述するＬＣＤドライバ２７０中の色バランス制御部２７１で調整されるものである。
【００４３】
また、バックライト照明部２７３を構成する光源は、例えば図示しないＬＥＤからなり、バックライト照明部２７３の明るさ（輝度）は、ＬＥＤに流す電流値を変化させることにより調整されるものである。そしてＬＥＤに流す電流は、後述するバックライト駆動回路２６９で生成されるものである。この様に、ＬＣＤモニタ２１１は、本発明に係る撮像装置における表示手段として機能する。
【００４４】
ＬＣＤドライバ２７０は、画像処理ＣＰＵ３０１により画像メモリ２６４から読み出された画像信号をＮＴＳＣ／ＰＡＬにエンコードし、これをフィールド画像としてＬＣＤモニタ２１１に画像表示させる。また、ＬＣＤドライバ２７０は、色バランス制御部２７１を備え、色バランス制御部２７１は、ＬＣＤモニタ２１１中の画像表示部２７２で表示される画像の色バランスを、後述するカメラ制御ＣＰＵ２６７から送られる色バランス制御値に基づいて補正するものである。
【００４５】
具体的には、色バランス制御部２７１は、画像処理ＣＰＵ２６１で所定の信号処理が施されたＲ、Ｇ、Ｂ各色成分の画像信号に対してレベル変換を行うものであり、このレベル変換処理を色バランス補正（または、ホワイトバランス補正）という。色バランス補正は、カメラ制御ＣＰＵ２６７から送られる色バランス制御値を図示しないＲ信号アンプ、Ｂ信号アンプの補正ゲインとして補正制御を行うものである。この様に、色バランス制御部２７１は、本発明に係る撮像装置における色バランス補正手段として機能する。
【００４６】
バックライト駆動回路２６９は、ＬＣＤモニタ２１１中のバックライト照明部２７３のＬＥＤに流す電流を生成するものであり、バックライト駆動回路２６９は、後述するカメラ制御ＣＰＵ２６７から送られるバックライト駆動電流制御値に基づいてＬＥＤに流す電流を生成するものである。この様に、バックライト駆動回路２６９は、本発明に係る撮像装置におけるバックライト駆動電流生成手段として機能する。
【００４７】
カメラ制御ＣＰＵ２６７は、マイクロコンピュータからなり、後述するスイッチ群２７５の各スイッチ操作によるスイッチ信号に基づき、カメラ本体部２、及びレンズユニット３の各部材の駆動をシーケンシャルに制御してデジタルカメラ１の撮影動作を統括制御する。
【００４８】
さらに、カメラ制御ＣＰＵ２６７は、バックライト照明部２７３の明るさレベルを選択する選択／決定ボタン２０６で選択された明るさレベルに基づいて、バックライト駆動回路２６９で生成されるバックライト駆動電流、及び色バランス制御部２７１のＲ信号アンプ、Ｂ信号アンプの補正ゲインを制御するものである。
【００４９】
具体的には、カメラ制御ＣＰＵ２６７は、明るさレベルに対応したバックライト駆動電流制御値、及び色バランス制御値の関係を表したテーブル、例えば下表１に示すようなテーブルを予め設定しておき、カメラ制御ＣＰＵ２６７中の記憶部２６８に格納しておく。
【００５０】
【表１】
2006229548.tif 000003
【００５１】
ここで表１中のＲ信号アンプゲイン、Ｂ信号アンプゲインは、バックライト駆動電流制御値に基づいてバックライト駆動回路２６９で生成されるバックライト駆動電流をバックライト照明部２７３の光源ＬＥＤに流した時の、ＬＥＤ光源の色温度に対応する色バランス補正ゲインに設定されていることは言うまでもない。
【００５２】
そしてカメラ制御ＣＰＵ２６７は、バックライト照明部２７３の明るさレベルを選択する選択／決定ボタン２０６で選択された明るさレベルに基づいた、バックライト駆動電流制御値、及び色バランス制御値を記憶部２６８から読み出して、読み出したバックライト駆動電流制御値、及び色バランス制御値をそれぞれバックライト駆動回路２６９、及び色バランス制御部２７１に送出する。
【００５３】
そしてバックライト駆動回路２６９、及び色バランス制御部２７１はカメラ制御ＣＰＵ２６７から送出されたバックライト駆動電流制御値、色バランス制御値に基づいて、それぞれ前述した所定の処理を行うことにより、ＬＣＤモニタ２１１に表示される画像は所望の明るさに調整され、また最適な色バランスに調整されて、安定した色再現性が保たれることになる。この様に、カメラ制御ＣＰＵ２６７は、本発明に係る撮像装置におけるバックライト駆動電流制御手段、及び色バランス制御手段として機能する。また、バックライト駆動回路２６９、及びカメラ制御ＣＰＵ２６７は本発明に係る撮像装置における輝度設定手段として、さらに色バランス制御部２７１、及びカメラ制御ＣＰＵ２６７は本発明に係る撮像装置における制御手段として機能するものである。
【００５４】
この様に、デジタルカメラ１では、画像処理ＣＰＵ２６１においてＣＣＤ２５１より取り込まれた画像信号に前述した様な信号処理を行い、これらの処理を行った画像信号を画像メモリ２６４に記録するようになっている。
【００５５】
本発明に係るデジタルカメラ１は、モード設定ダイアル２０３で設定したモードの下でＣＣＤ２５１で取り込んだ画像信号を画像メモリ２６４に記録、あるいは、ＬＣＤモニタ２１１やＥＶＦ２１０に表示する。
【００５６】
撮影待機状態（例えば、モード設定ダイアルで「静止画撮影モード」に設定した状態）では、画像信号が例えば１／３０秒毎等の所定間隔でＣＣＤ２５１より信号処理回路２５２、Ａ／Ｄ変換器２５５を経て画像処理ＣＰＵ２６１取り込まれている。取り込まれた画像信号は、前述した様に、画像処理ＣＰＵ２６１中の画像処理部２６２の画素補間部からマトリクス演算部にかけての部位で所定の信号処理が施され、その後、デジタル画像信号として画像メモリ２６４に記録される。
【００５７】
そして、画像メモリ２６４に記録された画像信号を読み出し、読み出された画像信号をＬＣＤドライバ２７０やＥＶＦドライバ２７４でＮＴＳＣ／ＰＡＬにエンコードし、これをフィールド画像としてＬＣＤモニタ２１１やＥＶＦ２１０で画像表示する。
また、画像記録時は、設定された記録解像度の画像とするために画像信号を画像処理ＣＰＵ２６１中の画像処理部２６２の画像圧縮部で圧縮処理し、得られた圧縮画像はメモリカードドライバ２６５を介してメモリカード２６６に記録される。
【００５８】
再生モード（モード設定ダイアルで「再生モード」に設定した状態）では、メモリカード２６６より読み出された画像信号は、画像処理ＣＰＵ２６１で所定の信号処理を施し、ＬＣＤドライバ２７０やＥＶＦドライバ２７４を介してＬＣＤモニタ２１１やＥＶＦ２１０に表示する。
【００５９】
なお、図２中のスイッチ群２７５は、図１のシャッタボタン２０１、電源スイッチ２０２、モード設定ダイアル２０３、選択／決定ボタン２０６、メニューボタン２０７、クイックビューボタン２０８、電子ズームボタン２０９等に対応するスイッチである。
ここで、本発明に係るデジタルカメラ１で行われる表示画像信号の色バランス補正制御に  次いで図３のフローチャート、及び前述した表１を用いて詳細に説明する。
【００６０】
最初に、デジタルカメラ１を静止画撮影モードに設定して撮影待機状態にし、デジタルカメラ１のＬＣＤモニタ２１１に撮影待機画像を表示させる（ステップＳ１）。
次に、ＬＣＤモニタ２１１で表示されるメニュー画面上で、明るさ設定モードに入り、バックライト照明部２７３の明るさレベルを選択する選択／決定ボタン２０６で、所望の明るさレベルを選択する（ステップＳ２）。
【００６１】
カメラ制御ＣＰＵ２６７は、選択／決定ボタン２０６で選択された明るさレベルに基づいた、バックライト駆動電流制御値、及び色バランス制御値を記憶部２６８から読み出す（ステップＳ３）。例えば、選択／決定ボタン２０６で、明るさレベル２が選択されたとすると、カメラ制御ＣＰＵ２６７は、記憶部２６８に予め設定されている表１に示すテーブルから、明るさレベル２に基づいた、バックライト駆動電流制御値（ＩＢＬ２）、及び色バランス制御値（Ｒ信号アンプゲイン；０．６５２、Ｂ信号アンプゲイン；０．４２３）を記憶部２６８から読み出すことになる。
【００６２】
そしてカメラ制御ＣＰＵ２６７は読み出したバックライト駆動電流制御値、及び色バランス制御値をそれぞれバックライト駆動回路２６９、及び色バランス制御部２７１に送出する（ステップＳ４）。バックライト駆動回路２６９は、カメラ制御ＣＰＵ２６７から送られたバックライト駆動電流制御値に基づいてバックライト照明部２７３のＬＥＤに流す電流を生成する。
【００６３】
また色バランス制御部２７１は、カメラ制御ＣＰＵ２６７から送られた色バランス制御値をＲ信号アンプ、Ｂ信号アンプの補正ゲインとして設定する（ステップＳ５）。そして、バックライト駆動回路２６９はバックライト駆動電流制御値に基づいて生成したバックライト駆動電流を用いてバックライト照明部２７３のＬＥＤを駆動する。また色バランス制御部２７１は、設定されたＲ信号アンプ、Ｂ信号アンプの補正ゲインを用いて画像表示部２７２で表示される画像信号の色バランス補正を行う（ステップＳ６）。この様にして、バックライト照明部２７３の明るさは所望の明るさに調整され、また画像表示部２７２の色バランスは最適化される（ステップＳ７）。
【００６４】
この様に、本発明に係る撮像装置では、バックライト照明部の明るさ調整をバックライト照明用光源に流す電流量を変化させて行った場合に、照明光源の色温度が変動することにより発生する画像表示部で表示される画像の色バランスの変動を、照明光源に流す電流量、すなわち光源の色温度に基づいて、画像表示部で使用される画像信号の色バランス補正を行う色バランス補正アンプのゲインを設定することができる様になるので、バックライト照明の輝度変化に係わらず、安定した色再現性を保った画像を表示することが行える様になった。
【図面の簡単な説明】
【００６５】
【図１】本発明に係るデジタルカメラの外観模式図である。
【図２】本発明に係るデジタルカメラにおける回路ブロック構成図である。
【図３】ＬＣＤ表示部の色バランス制御の流れを示すフローチャートである。
【符号の説明】
【００６６】
１  デジタルカメラ
２  カメラ本体部
２０１  シャッタボタン
２０２  電源スイッチ
２０３  モード設定ダイアル
２０４  ジョグダイアルキー
２０５  決定ボタン
２０６  選択／決定ボタン
２０７  メニューボタン
２０８  クイックビューボタン
２０９  電子ズームボタン
２１０  電子ビューファインダー（ＥＶＦ）
２１１  ＬＣＤモニタ
２１２  フラッシュ
２５１  ＣＣＤエリアセンサ
２５２  信号処理回路
２５３  ＣＤＳ回路
２５４  ＡＧＣ回路
２５５  Ａ／Ｄ変換器
２５６  タイミングジェネレータ
２５７  絞り／シャッタドライバ
２５８  フォーカス／ズームモータドライバ
２６１  画像処理ＣＰＵ
２６２  画像処理部
２６３  基準クロック発生部
２６４  画像メモリ
２６５  メモリカードドライバ
２６６  メモリカード
２６７  カメラ制御ＣＰＵ
２６８  記憶部
２６９  バックライト駆動回路
２７０  ＬＣＤドライバ
２７１  色バランス制御部
２７２  画像表示部
２７３  バックライト照明部
２７４  ＥＶＦドライバ
２７５  スイッチ群
２８１  電池
２８２  ＤＣ／ＤＣコンバータ
３  レンズユニット
【図１】
2006229548.tif 000004
【図２】
2006229548.tif 000005
【図３】
2006229548.tif 000006